(57)【要約】直交送信機（２００）と受信機（１００）は、これら送信機（２００）と受信機（１００）の各々によって導入された利得と位相の不均衡を決定するために、セレクトテスト信号を加えることを促進する構成可能なＩとＱチャネル経路を有する。第一の“通常”の構成においては、これらＩとＱチャネルの各々は、独立的に、Ｉ単独テスト信号（I-only test signal）を加え、これに続いて、Ｑ単独テスト信号（Q-only test signal）を加えることで、テストされる。第二の“スイッチされた送信機（switched transmitter）”構成においては、このＱ単独テスト信号が再び加えられる。第三の“スイッチされた受信機（switched receiver）”構成においては、Ｉ単独信号が再び加えられる。これらテスト信号の各々を加えた結果を組み合わせることで、これら送信機と受信機の各々の利得と位相の不均衡を決定することができる。１つの好ましい実施例においては、これら構成とテスト信号は、単一のトランシーバ（３００）内で、その送信機（２００）の出力をその受信機（１００）の入力に閉ループ結合した状態にて適用される。
2006526348.tif 000002
【特許請求の範囲】
【請求項１】
通信装置であって、
少なくとも１対のチャネルを含み、前記対のチャネルの各チャネルは、
データ入力およびクロック出力を有するミキサと、
第一の位相で第一の出力を、前記第一の位相から実質的に９０度離れた第二の位相で第二の出力を提供するように構成された少なくとも１つの直交位相発生器と、
少なくとも１つのスイッチであって、このスイッチが第一のモードにあるときは、前記第一の出力を前記対のチャネルの第一のチャネル内の前記ミキサの前記クロック入力に結合し、前記第二の出力を前記対のチャネルの第二のチャネル内の前記ミキサの前記クロック入力に結合するように構成され、かつ前記スイッチが第二のモードにあるときは、前記第二の出力を前記第一のチャネル内の前記ミキサの前記クロック入力に結合し、前記第一の出力を前記第二のチャネル内の前記ミキサの前記クロック入力に結合するように構成されるスイッチと、
前記第一のチャネルと前記第二のチャネルとの間の不均衡に関して前記通信装置をテストすることを促進するために、前記スイッチを前記第一のモードと前記第二のモードとのうちの一に選択的に置くように構成されたコントローラと、
を備えた通信装置。
【請求項２】
各チャネルは、更に、フィルタと、増幅器とを含み、前記第一のチャネルと第二のチャネルとの間の前記不均衡は、各チャネルの前記ミキサ、フィルタ、及び増幅器間の差によって導入される利得と位相シフトとの不均衡を含む請求項１記載の通信装置。
【請求項３】
前記第一と第二のモードは、前記利得と位相シフトの不均衡の各々の測定値の決定を容易にする請求項２記載の通信装置。
【請求項４】
前記少なくとも１対のチャネルは、１対の送信機チャネルを含む請求項２記載の通信装置。
【請求項５】
前記少なくとも１対のチャネルは、１対の受信機チャネルを含む請求項２記載の通信装置。
【請求項６】
前記少なくとも１対のチャネルは、第一の対の受信機チャネルと、第二の対の送信機チャネルとを含み、前記少なくとも１つの直交位相発生器は、１つの受信機位相発生器と、１つの送信機位相発生器とを含み、前記少なくとも一つスイッチは、１つの受信機スイッチと、１つの送信機スイッチとを含み、前記コントローラは、前記受信機チャネルと前記送信機チャネルの各々における不均衡の独立した測定を促進するために、前記受信機スイッチと前記送信機スイッチの各々を独立に制御するように更に構成される請求項２記載の通信装置。
【請求項７】
送信機出力を提供するために、前記対の送信機チャネル内の前記ミキサの出力を組み合わせるように構成された加算器を更に含む請求項６記載の通信装置。
【請求項８】
前記対の受信機チャネルと前記対の送信機チャネルの各々の前記第一のチャネルと前記第二のチャネルとの間の不均衡について前記通信装置をテストすることを促進する閉ループ構成が提供されように、前記送信機出力は前記対の受信機チャネル内の前記ミキサに選択的に結合される請求項７記載の通信装置。
【請求項９】
少なくとも１対の通信チャネルの不均衡をテストすること促進するための方法であって、位相発生器の第一の出力を前記少なくとも１対の通信チャネルの１対の第一のチャネルに結合し、前記位相発生器の、前記第一の出力と約９０度だけ分離されている第二の出力を前記対の第二のチャネルに結合する第一のモードで前記少なくとも１対の通信チャネルの１対を構成するステップと、
第一の組のテスト信号を加えて第一の組の結果を得るステップと、
前記位相発生器の前記第二の出力を前記第一のチャネルに結合し、前記位相発生器の前記第一の出力を前記第二のチャネルに結合する第二のモードで前記対を構成するステップと、
第二の組のテスト信号を加えて第二のセットの結果を得るステップと、
前記第一のセットの結果と前記第二のセットの結果に基づいて前記対の前記第一のチャネルと第二のチャネルの不均衡の測定値を決定するステップと、
を含む方法。
【請求項１０】
前記第一の組のテスト信号と前記第二の組のテスト信号の少なくとも１つを加えるステップは、ある既知の信号を前記第一のチャネルに加え、零信号を前記第二のチャネルに加えるステップを含む請求項９記載の方法。
【請求項１１】
前記第一の組のテスト信号と前記第二の組のテスト信号の各々を加えるステップは、ある既知の信号を前記第一のチャネルに加え、零信号を前記第二のチャネルに加えるステップを含む請求項９記載の方法。
【請求項１２】
前記少なくとも１対の通信チャネル（Ｉ、Ｑ）の別の１対を前記第一のモードに構成し、別の位相発生器の第一の出力を、前記少なくとも１対の通信チャネル（Ｉ、Ｑ）の前記別の１対に結合するとともに、前記別の位相発生器の第二の出力を、前記別の１対の第二のチャネルに結合するステップと、
前記第一および第二の組の結果を得るために前記第一および第二の組のテスト信号を加えることで前記別の１対の影響も含むように、前記別の１対を前記１対に結合するステップと、
前記位相発生器の前記第二の出力を前記別の１対の前記第一のチャネルに結合しかつ前記位相発生器の前記第一の出力を前記別の１対の前記第二のチャネルに結合する第三のモードに前記別の１対を構成するステップと、
第三の組のテスト信号を加えて第三の組の結果を得るステップと、
前記第一の組の結果と前記第三の組の結果に基づいて、前記別の１対の前記第一のチャネルと第二のチャネルとの間の前記不均衡の測定値を決定するステップと、
を更に含む請求項９記載の方法。
【請求項１３】
前記第一の組のテスト信号と、前記第二の組のテスト信号と、前記第三の組のテスト信号の少なくとも１つを加えるステップは、ある既知の信号を通信チャネルの前記対の一方に加え、零信号を、通信チャネルの前記対の別の一方に加えるステップを含む請求項１２記載の方法。
【請求項１４】
前記第一の組のテスト信号と、前記第二の組のテスト信号と、前記第三の組のテスト信号の各々を加えるステップは、ある既知の信号を前記対の通信チャネルの１つに加え、零信号を前記対の通信チャネルの別の一方に加えるステップを含む請求項１２記載の方法。
【請求項１５】
送信機および受信機を備え、前記送信機と前記受信機の各々が第一のチャネルと第二のチャネルとを有するトランシーバ内の不均衡を測定する方法であって、
前記送信機の出力を前記受信機に結合するステップと、前記送信機と前記受信機が各々第一の動作モードに置かれている状態で前記受信機から第一の組の結果を得るために第一の組のテスト信号を前記送信機に加えるステップと、前記送信機を第二の動作モードに設定するステップと、前記送信機が前記第二の動作モードに置かれている状態で前記受信機から第二の組の結果を得るために第二の組のテスト信号を前記送信機に加えるステップと、前記受信機を前記第二の動作モードに設定するステップと、前記受信機が前記第二の動作モードに置かれている状態で前記受信機から第三の組の結果を得るために第三の組のテスト信号を前記送信機に加えるステップと、前記第一の組、第二の組、および第三の組の結果に基づいて前記不均衡を決定するステップと、を含み、
前記第一の動作モードは第一の位相を前記第一のチャネルに加え、前記第一の位相から実質的に９０度離れた第二の位相を前記第二のチャネルに加えるステップを含み、前記第二の動作モードは前記第二の位相を前記第一のチャネルに加えるとともに前記第一の位相を前記第二のチャネルに加えるステップを含む方法。
【請求項１６】
前記第一の組のテスト信号を加えるステップは、ある既知の信号を前記送信機の前記第一のチャネルに加えるとともに零信号を前記送信機の前記第二のチャネルに加えるステップと、前記零信号を前記送信機の前記第一のチャネルに加えるとともに前記既知の信号を前記送信機の前記第二のチャネルに加えるステップとを含み、
前記第二の組のテスト信号を加えるステップは、前記零信号を前記送信機の前記第一のチャネルに加えるとともに前記既知の信号を前記送信機の前記第二のチャネルに加えるステップを含み、
前記第三の組のテスト信号を加えるステップは、前記既知の信号を前記送信機の前記第一のチャネルに加えるとともに前記零信号を前記送信機の前記第二のチャネルに加えるステップを含む請求項１５記載の方法。
【請求項１７】
前記不均衡を決定するステップは、前記第三の組のテスト信号が加えられたときの前記受信機の前記第二のチャネルの出力に基づいて前記受信機の利得の不均衡を決定するステップと、前記第二の組のテスト信号が加えられたときの前記受信機の前記第一のチャネルの出力に基づいて前記送信機の利得の不均衡を決定するステップと、前記送信機の前記利得の不均衡と、前記第一の組のテスト信号が加えられたときの前記受信機の前記第一のチャネルの前記出力とに基づいて前記送信機の位相の不均衡を決定するステップと、前記受信機の前記利得の不均衡と、前記第一の組のテスト信号が加えられたときの前記受信機の前記第二のチャネルの前記出力とに基づいて前記受信機の位相の不均衡を決定するステップと、を含む請求項１６記載の方法。
【請求項１８】
前記第一の組の信号が加えられたときの前記受信機の前記第一のチャネルの前記出力に基づいて、前記既知の信号を決定するステップを更に含む請求項１７記載の方法。
【発明の詳細な説明】
【技術分野】
【０００１】
本発明は、通信の分野、とりわけ直交通信システムにおけるＩ／Ｑ不均衡を検出するためのシステムおよび方法に関する。
【背景技術】
【０００２】
直交変調と復調の使用は、２ビットシンボルのストリームとしてのデジタルデータを通信するための一般的な通信技法である。
【０００３】
このシンボルのこれらビットの１つに対応する第一のストリームは、“同相”（Ｉ）発振信号によって変調され、このシンボルの他方のビットに対応する第二のストリームは、この同相（Ｉ）発振信号から９０度だけ位相がずれた“直交位相”（Ｑ）発振信号によって変調される。これらＩ変調された信号とＱ変調された信号が組み合わされて送信のための合成信号が形成される。この変調の直交性は、受信システムの所で、個々のＩおよびＱ変調されたビットストリームの復調を高い信頼度で行うことを可能にする。
【０００４】
IEEE802.11a/gは、高速無線データ転送を達成するために、周波数分割多重と、直交変調及び復調との組合せを採用する直交周波数分割多重（Orthogonal Frequency Division Multiplex(ＯＦＤＭ）)スキームを指定する。このＯＦＤＭ送信機の所では、対応するＯＦＤＭ受信機に送信するために、複数の直交変調システムの出力が周波数分割多重化される。
【０００５】
全ての直交変調及び復調システムにおけるのと同様に、ＯＦＤＭシステムは、位相のシフトに敏感であり、この位相シフトは、これらＩとＱ変調された信号を、一般に“Ｉ／Ｑチャネル不整合（I/Q channel mismatch）”と呼ばれる非直交化にする。ここに参照のために編入される、２００１年１０月２日付けでJuha Heiskalaに交付された、”ESTIMATION OF TWO PROPAGATION CHANNELS IN OFDM（ＯＦＤＭにおける２つの伝播チャネルの推定）”なる名称の米国特許第６，２９８，０３５号明細書は、ＯＦＤＭ変調及び復調の原理の概観を与えるとともに、各伝送チャネルの周波数応答を、２つのトランシーバ間に、セレクトトレーニングシンボル（select training symbols）を送信することで、推定する方法を開示する。この方法は、とりわけ、マルチパスフェーディング（multipath fading）と干渉（interference）に起因する周波数に依存する影響（frequency-dependent effects）に取り組んでおり、あるトランシーバからもう１つへの実際の伝送に基づく適応的な解決を提供する。
【０００６】
上述のように、直交システムにおけるこれらＩとＱ信号の間のこの知られている直交関係は、受信システムの所で、これらＩとＱ変調されたビットストリームを高い信頼度（つまり、雑音に鈍感）で復調することを可能にする。各チャネル内での信号の等しくない処理を導く成分変動は、直交システムの信頼性すなわち雑音に対する鈍感さに悪影響を与える。もしこの送信機が等しくない利得又は位相のシフトを各チャネルに与える場合は、これら送信された信号は真に直交ではなくなり、もしこの受信機が等しくない利得又はシフトを各チャネルに与える場合は、この復調は真に直交ではなくなるであろう。
【０００７】
本発明の１つの目的は、直交送信機と直交受信機の各々内で、利得と位相の不均衡の量を決定するためのシステムと方法を提供することにある。本発明のもう１つの目的は、ある単一のトランシーバ内で、利得と位相の送信機と受信機の不均衡の量を決定するためのシステムと方法を提供することにある。
【０００８】
これらの目的及びその他目的が、送信機と受信機の各々によって導入された利得と位相の不均衡を決定するために、セレクトテスト信号（select test signals）を加えることを可能にする構成可能な（configurable）ＩとＱチャネル経路を有する直交送信機と受信機とを提供することで達成される。第一の“通常（normal）”の構成においては、これらＩとＱチャネルの各々は、独立的に、Ｉ単独テスト信号（I-only test signal）を加え、これに続いて、Ｑ単独テスト信号（Q-only test signal）を加えることで、テストされる。第二の“スイッチされた送信機（switched transmitter）”構成においては、このＱ単独テスト信号が再び加えられる。第三の“スイッチされた受信機（switched receiver）”構成においては、Ｉ単独信号が再び加えられる。これらテスト信号の各々を加えた結果を組み合わせることで、これら送信機と受信機の各々の利得と位相の不均衡を決定することができる。１つの好ましい実施形態においては、これら構成とテスト信号は、単一のトランシーバ内で、その送信機の出力をその受信機の入力に閉ループ結合した状態で適用される。
【発明を実施するための最良の形態】
【０００９】
図１は本発明による直交送信機２００と受信機１００の一例としてのブロック図を示す。一つの好ましい実施例においては、これら送信機２００と受信機１００は、単一のトランシーバ３００内に含まれる。しかし、当業者においては、本発明の原理は、送信機と受信機の個別の実施態様にも適用できることを理解できよう。
【００１０】
この受信機１００は、可調フロントエンド（tunable front end）１１０を含むが、この出力が、直交出力信号ＩｒとＱｒとを提供するために、直交復調器によって復調される。説明を容易にするために、ここではこの直交復調器の１つのブランチのみが説明される。他方のブランチも、直交位相発生器１８０によって提供される直交位相にて動作する点を除いては、機能的に等価であるためである。このフロントエンド１１０の出力は、ミキサ１２０によって復調され、フィルタ１３０によってフィルタされる。可調増幅器１４０は、ベースバンドアナログ信号を提供し、この信号はアナログ・デジタル変換器（ＡＤＣ）１５０を介してデジタルサンプルに変換されてこれら復調された直交出力信号Ｉｒ／Ｑｒが形成される。
【００１１】
この送信機２００は、直交チャネル変調および送信のために２つのデジタルストリームＩ０とＱ０とを受信する。受信機１００の場合と同様に、説明を容易にするために、ここでは、この直交変調器の１つのブランチのみが説明されるが、他方のブランチも機能的に等価である。デジタル・アナログ変換器（ＤＡＣ）２２０は、このデジタル入力ストリームのこれらサンプルをアナログ信号に変換し、このアナログ信号は、フィルタ２３０によってフィルタされて可調増幅器２４０に提供される。ミキサ２５０は、直交変調を提供するが、これらストリームは、直交発生器１８０からの、位相が９０度だけ分離された変調信号を介して混合することで、送信信号ＩｔとＱｔとが形成される。加算器２６０はこれら直交変調された信号ＩｔとＱｔとを組み合わせ、増幅器２７０はこれら合成信号を送信のために準備する。
【００１２】
図１には、２つのクロススイッチ（cross-switch）３１０、３２０と、これらスイッチ３１０、３２０を制御するテスト構成コントローラ（test configuration controller）３５０とが示されている。示されている“通常（normal）”の、すなわちデフォルト、構成においては、直交発生器１８０と２８０からの、“０”度位相出力は、“Ｉ”チャネルに結合され、これら発生器１８０と２８０からの“９０”度位相出力は、“Ｑ”チャネルに結合される。
【００１３】
理想的には、送信機２００のコンポーネントは、これら入力ＩとＱの各々に、同一の利得及び位相シフトを提供し、出力Ｑｔがミキサ２５０によって意図的に９０度だけシフトされていることを除いて、同一の出力ＩｔとＱｔとが生成される。この理想的な場合、こうして送信される信号は
【数１】
2006526348.tif 000003
として与えられる。
ここでＩ０（ｔ）とＱ０（ｔ）は、この送信機への入力ＩとＱを表す。現実には、しかし、これら成分は、以降ｇｔと呼ばれる利得の不均衡（gain imbalance）と、θｔなる意図されない位相の不均衡とを導入することがある。この場合は、この送信機２００の出力は
【数２】
2006526348.tif 000004
ここで
【数３】
2006526348.tif 000005
として表すことができる。
【００１４】
上のこれら式において、ｇｔはＩとＱ送信チャネル間の送信機の相対利得（均衡が取れている状態はｇｔ＝１．０として定義される）を表し、θｔはＩとＱ送信チャネル間の送信機の相対位相シフト（均衡が取れている状態はθｔ＝０．０として定義される）を表す。
【００１５】
同様に、受信機１００のコンポーネントは、これら受信されたＩとＱチャネルに、理想的には、同一の利得及び位相シフトを提供する。もしある理想的な直交符号化された信号が受信された場合は、これは、
【数４】
2006526348.tif 000006
として表され、この受信機のこれら出力は
【数５】
2006526348.tif 000007
となるはであろう。
【００１６】
しかし、この受信機１００のコンポーネントは、利得及び位相シフトの不均衡を導入し、こうして、ある入力ＸＲ（ｔ）が与えられたときのこの受信機１００の出力は、
【数６】
2006526348.tif 000008
として表すことができ、ここで、ｇｒは、これらＩとＱ受信チャネル間の受信機の相対利得（均衡が取れている状態はｇｔ＝１．０として定義される）を表し、θｒは、これらＩとＱ受信チャネル間の送信機の相対位相シフト（均衡が取れているときは、θｔ＝０．０として定義される）を表す。
【００１７】
理解されるように、実際に送信された信号（式２、２ａ、２ｂ）は、真の直交信号（式１）と異なり、これら実際の受信機の復調された出力信号（式４ａ、４ｂ）は、真の直交復調された出力信号（式３ａ、３ｂ）と異なる。送信機と受信機不均衡の組み合された結果の不均衡の影響を説明するために、式２ａ、２ｂと、式４ａ、４ｂとを組み合わせると、この受信機の出力は、以下のように表すことができる（以降、便利さと理解の容易さのために、時間ｔに関しては明示的には示されない）
【数７】
2006526348.tif 000009
【００１８】
これら送信機２００と受信機１００は理想的なものではないために、トランシーバ３００の送信機２００又は受信機１００のいずれか内の利得及び／又は位相の不均衡の効果は、真の直交変調／復調システムによって達成可能な信頼性／雑音に対する鈍感さ（relaiability/ noise-insensitivity）に悪影響を与えることとなる。他方において、もし、これら利得及び位相の不均衡ｇｔ、ｇｒ、θｔ、θｒが知られている、又は決定可能である場合は、これら不均衡の影響を除去すなわち相殺するために補償技術を採用することができ、このためには、従来技術において知られている補償技術を用いることができる。
【００１９】
本発明によると、図１の送信機２００と受信機１００の各々は、それぞれ、前述の利得及び位相の不均衡ｇｔ、ｇｒ、θｔ、及びθｒを決定することを容易にするための構成スイッチ（configuration switch）３２０、３１０を含む。
【００２０】
上述のように、これらスイッチ３１０、３２０は、図解されている構成においては、“通常の”、すなわち、デフォルト、構成に置かれている。スイッチ３２０の状態を変更することで、送信機２００の所での、Ｉ０とＱ０信号の処理が、このデフォルト状態におけるこれら信号の処理に対して変更される。以降、“スイッチされた送信機（switched transmitter）”状態と定義されるこの変更された状態においては、この“通常の”状態におけるそれらの接続とは反対に、この直交発生器２８０からの“０”度位相出力は、“Ｑ”送信チャネルに結合され、この発生器２８０から“９０”度位相出力は、“Ｉ”送信チャネルに結合される。
【００２１】
位相の不均衡は主として直交発生器２８０及びミキサ２５０とに関連し、利得の不均衡は主として増幅器２４０と関連するために、先に定義された位相の不均衡は、この状態においては、これらＩとＱチャネルとの間でスイッチされ、利得の不均衡については、先に定義されたように、Ｑチャネルに対する定義のままにとどまる。こうして、式２ａと２ｂとの関連では、この送信機の各チャネルの出力は以下のように表される
【数８】
2006526348.tif 000010
ここで、ＩｔとＱｔは、“通常の”、すなわちデフォルト、構成におけるＩとＱ信号節点に対応するが、しかし、“スイッチされた送信機”状態においては、以下に詳細に説明されるように、受信機は、Ｉ送信信号を、Ｑ送信信号と解釈し、Ｑ送信信号をＩ送信信号と解釈することとなる。
【００２２】
この信号が受信機１００に送信されたときは、この受信機の出力は
【数９】
2006526348.tif 000011
として表される。
【００２３】
スイッチ３１０の状態を変えることで、受信機１００の所でのＸＲ信号の処理が、デフォルト状態におけるこれら信号の処理に対して変更される。以降、“スイッチされた受信機（switched receiver）”状態と定義されるこの変更された状態においては、“通常の”状態におけるこれらの接続とは反対に、直交発生器１８０から“０”度位相出力は、“Ｑ”受信チャネルに結合され、この発生器１８０からの“９０”度位相出力は、“Ｉ”受信チャネルに結合される。この状態においては、送信機が“通常の”モードにセットされているときは、送信Ｉ信号はＱ信号として処理され、送信Ｑ信号はＩ信号として処理される。この状態においては、主として増幅器１４０と関連する先に定義された受信機の利得の不均衡は、Ｑチャネルに対して定義されるままにとどまるが、主としてミキサ１２０及び発生器１８０と関連する受信機の位相の不均衡については、チャネルが切り変わる。こうして、式５ａと５ｂとの関連では、この受信機の各チャネルの出力は
【数１０】
2006526348.tif 000012
として表される。
【００２４】
こうして、これらスイッチ３１０、３２０は、これら受信機１００と送信機２００の各々の利得の不均衡と位相の不均衡を、分離し、別個に扱うことを可能にする。後に詳細に説明されるように、適当なスイッチの組合せを用いて各パラメータを分離することで、これら不均衡なパラメータｇｔ、ｇｒ、θｔ、θｒの各々を決定するためのテストシーケンスを生み出すことができる。
【００２５】
以下のテストシーケンスは、単に解説の目的で提供されるものである。当業者においては理解できるように、本発明によって教示されるような、これらスイッチ３１０、３２０によって提供される、これら利得及び位相の不均衡を分離する能力は、直交送信機及び受信機の利得及び位相の不均衡を測定及び／又は改善するための様々なテスト技法を採用する機会を提供する。
【００２６】
受信機１００は“スイッチされた受信機”モードに置かれ、送信機２００は“通常モード”に置かれた状態で、例えばＩ０がある既知の信号、例えばｃｏｓ（ω０ｔ）に等しく、かつＱ０が零に等しい、あるテスト入力信号を加えた場合、式８ｂは
【数１１】
2006526348.tif 000013
を生成し、こうして
【数１２】
2006526348.tif 000014
が得られる。
【００２７】
つまり、受信機１００を“スイッチされた受信機”モードに置き、送信機２００をこの受信機１００に閉ループ結合した状態で、送信機２００の、Ｉ０入力にある既知の入力信号Ｉ０を加え、このＱ０入力に零入力信号を加えることで、受信機１００の、デフォルトモードに対する利得の不均衡ｇｒが、受信機１００のＱｒ出力と加えられた入力信号Ｉ０とを比較することで、決定されうる。この加えられた／既知の入力信号Ｉ０は、この受信機の所で、これら送信機と受信機を通常モードに置き、この既知の信号をこのＩ０入力に加え、零信号をこのＱ０入力に加えることで（式５ａ、Ｉｒ＝Ｉ０から）、直接に測定することができる。
【００２８】
同様に、送信機２００を“スイッチされた送信機”モードにおき、受信機１００を通常のモードに置いた状態で、送信機２００のＱ０入力に既知の入力を加え、Ｉ０入力に零信号を加えると（式７ａ）から
【数１３】
2006526348.tif 000015
が生成され、こうして
【数１４】
2006526348.tif 000016
が得られる。
【００２９】
同様にして、この受信機と送信機の両方を通常モードに置いた状態で、この既知の信号をこのＱ０入力に加え、零信号をこのＩ０入力に加えると（式５ａ）から
【数１５】
2006526348.tif 000017
が生成され、こうして
【数１６】
2006526348.tif 000018
が得られるが、
ここで、ｇｔは、式１０から見つけられる。
【００３０】
最後に、これら受信機と送信機の両方を通常モードに置いた状態で、この既知の信号をこのＩ０入力に加え、零信号をこのＱ０入力に加えると（式５ｂから）
【数１７】
2006526348.tif 000019
が生成され、こうして
【数１８】
2006526348.tif 000020
が得られるが、
ここで、ｇｒは、式９から見つけられる。
【００３１】
こうして、こうしてセレクトテスト信号（select test signal）の組合せを、これら送信機２００と受信機１１０に、選択された構成において加えることで、これら不均衡なファクタｇｔ、ｇｒ、θｔ、及びθｒの各々を決定することができる。これら決定された値から、従来の補償技法を適用することで、これら不均衡の影響を相殺することができる。例えば、可変利得／可変位相シフト増幅器をこれら受信機と送信機の各々のＩ又はＱ信号路のいずれかに内に置き、適当に調節することで、こうして決定されたパラメータの各々の逆数を提供することができる。オプションとして、反復的修正過程（iterative correction process）を採用することもできるが、この場合は、これら逆数パラメータが適用された後に、この結果としてのＩ／Ｑ均衡を検証するため及び／又は更なる修正を行うために、上述の複数のテストの幾つか又は全てが再適用される。
【００３２】
上の説明は単に本発明の原理を解説するものである。こうして、当業者においてはこここでは明示的には説明されなかった又は示されなかったが、本発明のこれら原理を採用し、このため以下のクレームの精神及び範囲内に入る、様々な構成を考案できることを理解できよう。
【図面の簡単な説明】
【００３３】
【図１】本発明による直交送信機と受信機の一例としてのブロック図である。
【図１】
2006526348.tif 000021
【国際調査報告】
2006526348.tif 000022
2006526348.tif 000023
2006526348.tif 000024